(57)【要約】【課題】  手に持つことを防ぎ、安全運転に配慮して通話することができる、携帯電話機を実現する。【解決手段】  設置検知部４１が、携帯電話機１がホルダー５０に設置されていることを検知し、かつ、接続検知部４２が、携帯電話機１がハンズフリーキット６０と接続していることを検知しない場合、通信制御部４３は、携帯電話機１と外部との通信を遮断する。【選択図】  図１
2006174290.tif 000002
【特許請求の範囲】
【請求項１】
ハンズフリー通話を行うためのハンズフリー通話装置と接続可能な携帯電話機において、
上記携帯電話機が電話機設置装置に設置されていることを検知する設置検知手段と、
上記携帯電話機が上記ハンズフリー通話装置と接続していることを検知する接続検知手段と、
外部との通信を制御する通信制御手段とを有し、
上記設置検知手段が、上記携帯電話機が上記電話機設置装置に設置されていることを検知し、かつ、上記接続検知手段が、上記携帯電話機が上記ハンズフリー通話装置と接続していることを検知しない場合、上記通信制御手段は、外部との通信を遮断することを特徴とする携帯電話機。
【請求項２】
上記電話機設置装置の有する設置接続端子に接続する接続端子を有し、
上記設置検知手段は、上記接続端子が上記設置接続端子に接続していると、上記携帯電話機が上記電話機設置装置に設置されていることを検知することを特徴とする請求項１に記載の携帯電話機。
【請求項３】
上記設置検知手段は、上記接続端子を介して直流電流を供給されると、上記携帯電話機が上記電話機設置装置に設置されていることを検知することを特徴とする請求項２に記載の携帯電話機。
【請求項４】
ハンズフリー通話を行うためのハンズフリー通話装置と接続可能な携帯電話機の制御方法において、
上記携帯電話機が電話機設置装置に設置されていることを検知する設置検知ステップと、
上記携帯電話機が上記ハンズフリー通話装置と接続していることを検知する接続検知ステップとを有し、さらに、
上記設置検知ステップで、上記電話機設置装置に設置されていることを検知し、かつ、上記接続検知ステップで、ハンズフリー通話装置と接続していることを検知しない場合、外部との通信を遮断する遮断ステップを有することを特徴とする携帯電話機の制御方法。
【請求項５】
上記請求項１〜３の何れか１項に記載の携帯電話機を動作させる制御プログラムであって、上記各手段をコンピュータに実現させることを特徴とする携帯電話機の制御プログラム。
【請求項６】
請求項５に記載の携帯電話機の制御プログラムを記録したコンピュータ読み取り可能な記録媒体。
【発明の詳細な説明】
【技術分野】
【０００１】
本発明は、携帯電話機に関し、さらに詳しくはハンズフリー通話を行うためのオプションを取り付けることによりハンズフリー通話が可能となる携帯電話機、携帯電話機の制御方法、携帯電話機の制御プログラム、およびコンピュータ読取可能な記録媒体に関するものである。
【背景技術】
【０００２】
従来の携帯電話機において、手に把持することのない手放し状態での通話、いわゆるハンズフリー通話できるものが、特許文献１に開示されている。この従来の携帯電話機の構成を、図４を用いて説明する。図４に示すように、従来の携帯電話機１００は、ハンドセット通話として受話部１０１で無線機より受け取った受話信号を音に変換しスピーカーから発生させる。また、送話部１０２でマイクによって受け取る音を送話信号に変換し、無線機へ送る。また、ハンドフリー通話時に、イヤホン１０３を用いる場合は、受話部１０１の代わりにイヤホン１０３内の受話部が用いられる。この従来の携帯電話機１００は、ハンドセット通話と、ハンドフリー通話とを行うことができる構成となっている。ハンズフリー通話ができることによって、車両運転中若しくは停止時に音声通話を行うことができる。
【特許文献１】特開平３−１１４３４４号公報（１９９１年５月１５日公開）
【発明の開示】
【発明が解決しようとする課題】
【０００３】
しかしながら、従来の携帯電話機では、イヤホンによりハンズフリー通話が可能であっても、例えば、車両の運転中に受信音を聞いたり、受信を通知する振動を受け取ったりした場合、思わず携帯電話機を手にとってしまうといったことがある。運転中に携帯電話機を手に把持するという行為は規制されていおり、携帯電話機を手にすると、車の運転中等は注意力散漫になってしまうという問題がある。
【０００４】
本発明は、上記の問題点に鑑みてなされたものであり、その目的は、手に持つことを防ぎ、安全運転に配慮して通話することができる、携帯電話機を提供することである。
【課題を解決するための手段】
【０００５】
本発明に係る携帯電話機は、上記課題を解決するために、ハンズフリー通話を行うためのハンズフリー通話装置と接続可能な携帯電話機において、上記携帯電話機が電話機設置装置に設置されていることを検知する設置検知手段と、上記携帯電話機が上記ハンズフリー通話装置と接続していることを検知する接続検知手段と、外部との通信を制御する通信制御手段とを有し、上記設置検知手段が、上記携帯電話機が上記電話機設置装置に設置されていることを検知し、かつ、上記接続検知手段が、上記携帯電話機が上記ハンズフリー通話装置と接続していることを検知しない場合、上記通信制御手段は、外部との通信を遮断することを特徴としている。
【０００６】
また、本発明に係る携帯電話機の制御方法は、上記課題を解決するために、ハンズフリー通話を行うためのハンズフリー通話装置と接続可能な携帯電話機の制御方法において、上記携帯電話機が電話機設置装置に設置されていることを検知する設置検知ステップと、上記携帯電話機が上記ハンズフリー通話装置と接続していることを検知する接続検知ステップとを有し、さらに、上記設置検知ステップで、上記電話機設置装置に設置されていることを検知し、かつ、上記接続検知ステップで、上記ハンズフリー通話装置と接続していることを検知しない場合、外部との通信を遮断する遮断ステップを有することを特徴とする。
【０００７】
上記構成および上記方法によると、携帯電話機は、電話機設置装置に設置されていて、ハンズフリー通話装置との接続がなされていないと、外部との通信を遮断する。そのため、電話機設置装置が車両内に設置されていると、携帯電話機のユーザが車両を運転中にであっても、携帯電話機とハンズフリー通話装置との接続がなされていないと、携帯電話機が外部からの受信することはない。そのため、携帯電話機のユーザは、運転に集中することができる。
【０００８】
ここで、従来の携帯電話機であると、ハンズフリー通話装置が接続していても、車両を運転中に思わず手にとってしまうことがある。携帯電話機を手にすると、車の運転中等は注意力散漫になってしまい、安全面に重大な問題がある。
【０００９】
しかし、本発明に係る携帯電話機は、上記構成により、手に持つことを防ぎ、車両の運転に差し障りなく、安全運転に配慮して通話することができる。
【００１０】
なお、本明細書において、携帯電話機とは、無線基地局との間を無線回線により接続された電話機を指すものとし、ＰＨＳ（Personal Handy-phone System）等も含まれるものとする。
【００１１】
本発明に係る携帯電話機では、上記構成に加え、上記電話機設置装置の有する設置接続端子に接続する接続端子を有し、上記設置検知手段は、上記接続端子が上記設置接続端子に接続していることにより、上記携帯電話機が上記電話機設置装置に設置されていることを検知してもよい。
【００１２】
上記構成によると、携帯電話機の接続端子と電話機設置装置の設置接続端子とが接続している場合、携帯電話機がハンズフリー通話装置と接続していないと、携帯電話機の外部との通信が遮断される。携帯電話機の接続端子と電話機設置装置の設置接続端子とが接続している場合、携帯電話機がハンズフリー通話装置と接続していると、ハンズフリー通話が可能となる。よって、例えば、設置場所を特定できるような設置接続端子である場合、あるいは、場所によって設置接続端子が異なる場合、ある場所の設置接続端子と接続したときのみ、ハンズフリー通話装置が外れていると、通信を遮断することができる。つまり、例えば、室内で使用する充電用の携帯電話設置装置（ホルダー）に設置されているときは、ハンズフリー通話装置が接続していなくても通信を遮断せず、車内の電話機設置装置に設置されているときは、ハンズフリー通話装置が接続していないと通信を遮断する、というように使用することができる。
【００１３】
このように、場所によって、ハンズフリー通話装置が接続していないときに通信を遮断したい場合等にユーザに好都合に使用できる携帯電話機を提供することができる。
【００１４】
本発明に係る携帯電話機では、上記構成に加え、上記設置検知手段は、上記接続端子を介して直流電流を供給されると、上記携帯電話機が上記電話機設置装置に設置されていることを検知してもよい。
【００１５】
上記構成によると、直流電流が供給される場合、携帯電話機がハンズフリー通話装置と接続していないと、携帯電話機の外部との通信が遮断される。また、直流電流が供給される場合、携帯電話機がハンズフリー通話装置と接続していると、ハンズフリー通話が可能となる。
【００１６】
ここで、車両に設置される電話機設置装置がＤＣ（直流）充電器を兼ねると、屋内で使用される充電器はＡＣ（交流）充電器であるため、携帯電話機は、供給される電流が直流であると、設置されている電話機設置装置が、車両内のものであることを認識することができる。このような構成によると、屋内のＡＣ充電器に設置されているときは、ハンズフリー通話装置が接続していなくても通信を遮断せず、車両内のＤＣ充電器（電話機設置装置）に設置されているときは、ハンズフリー通話装置が接続していないと通信を遮断する、というように使用することができる。
【００１７】
このように、上記構成によると、車両内において、ハンズフリー通話装置が接続していないときに通信を遮断することができる携帯電話機を提供することができる。
【００１８】
なお、上記携帯電話機は、コンピュータによって実現してもよく、この場合には、コンピュータを上記各手段として動作させることにより上記携帯電話機をコンピュータにて実現させる携帯電話機の制御プログラム、及びその携帯電話機の制御プログラムを記録したコンピュータ読み取り可能な記録媒体も、本発明の範疇に入る。
【００１９】
これらの構成によれば、上記携帯電話機の制御プログラムを、コンピュータに読み取り実行させることによって、上記携帯電話機と同一の作用効果を実現することができる。
【発明の効果】
【００２０】
本発明に係る携帯電話機は、以上のように、上記携帯電話機が電話機設置装置に設置されていることを検知する設置検知手段と、上記携帯電話機が上記ハンズフリー通話装置と接続していることを検知する接続検知手段と、外部との通信を制御する通信制御手段とを有し、上記設置検知手段が、上記電話機設置装置に設置されていることを検知し、かつ、上記接続検知手段が、ハンズフリー通話装置と接続していることを検知しない場合、上記通信制御手段は、外部との通信を遮断する。
【００２１】
上記の構成によると、携帯電話機は、電話機設置装置に設置されていて、ハンズフリー通話装置との接続がなされていないと、外部との通信を遮断する。そのため、電話機設置装置が車両内に設置されていると、携帯電話機のユーザが車両を運転中にであっても、携帯電話機とハンズフリー通話装置との接続がなされていないと、携帯電話機が外部からの受信することはない。そのため、携帯電話機のユーザは、運転に集中することができる。
【００２２】
このように、本発明に係る携帯電話機は、上記構成により、手に持つことを防ぎ、車両の運転に差し障りなく、安全運転に配慮して通話することができる。
【発明を実施するための最良の形態】
【００２３】
本発明の一実施形態について図１〜図３に基づいて説明すると以下の通りである。なお、本実施の形態において、携帯電話機とは、無線基地局との間を無線回線により接続された電話機を指すものとし、ＰＨＳ（Personal Handy-phone System）等も含まれるものとする。
【００２４】
本実施形態の携帯電話機１の内部構成について図１を参照に説明する。携帯電話機１は、受話部２、送話部３、制御部４、無線通信部５、イヤホンジャック６、近距離無線通信部７、接続端子１１を有している。
【００２５】
受話部２は、通話相手の話す受話信号を音声に変換し、スピーカから発生させる。受話部２は、例えば、スピーカ、Ｄ／Ａ変換器、アンプなどを含んでいる。
【００２６】
送話部３は、マイクロホンから受け取る音声を信号に変換する。送話部３は、例えば、音波を電気信号に変換するマイクロホンと、Ａ／Ｄ変換器、アンプなどを含んでいる。
【００２７】
制御部４は、マイクロコンピュータを内蔵し、コンピュータプログラムに従って、携帯電話機１における各種構成の動作を統括的に制御する。また、制御部４０は、設置検知部（設置検知手段）４１、接続検知部（接続検知手段）４２、通信制御部（通信制御手段）４３、音声切替部４４として機能する。
【００２８】
設置検知部４１は、携帯電話機１と以下説明するホルダー５０との接続を検知し、接続していることを通信制御部４３に通知する。携帯電話機１とホルダー５０との接続の検知は、携帯電話機１の接続端子１１がホルダー５０の接続端子５１に接続しているのを検出することにより行う。
【００２９】
接続検知部４２は、携帯電話機１と以下で説明するハンズフリーキット６０との接続を検知し、接続していることを通信制御部４３、音声切替部４４に通知する。ハンズフリーキット６０との接続の検知は、ハンズフリーキット６０がマイク付イヤホン２０であれば、２０の端子がイヤホンジャック６に接続したことを検出することで行う。また、ハンズフリーキット６０が無線ハンズフリーキット３０であれば、携帯電話機１の近距離無線通信部７と、無線ハンズフリーキット３０の近距離無線通信部３１との間に通信が確立されていることを検知することで行う。
【００３０】
通信制御部４３は、無線通信部５を制御し、外部との通信を制御する。無線通信部は４３、設置検知部４１から携帯電話機１がホルダー５０に設置されていることを通知され、かつ、接続検知部４２から携帯電話機１がハンズフリーキット６０と接続していることを通知されると、無線通信部５に対して信号の送受信を行わないように、つまり、通信を遮断するように、指示をする。
【００３１】
音声切替部４４は、接続検知部４２から携帯電話機１とハンズフリーキット６０とが接接続していることを通知されると、音声の入出力を、携帯電話機１の受話部２および送話部３で行うのを、ハンズフリーキット６０で行うように切り替える。
【００３２】
設置検知部４１が、携帯電話機１がホルダー５０に設置されていることを検知せず（あるいは設置されていないことを検知し）、かつ、接続検知部４２が、携帯電話機１がハンズフリーキット６０と接続していることを検知しない（あるいは接続していないことを検知する）と、送話部３から送られる音声信号が、無線通信部から外部に送信される。また、外部から受信した音声信号は、受話部２から発せられる。
【００３３】
接続検知部４２が、携帯電話機１がハンズフリーキット６０と接続していることを検知すると、受話部２および送話部３の代わりに、ハンズフリーキット６０が用いられて音声通信が行われる。
【００３４】
接続検知部４２が、携帯電話機１がハンズフリーキット６０と接続していることを検知しても、設置検知部４１が、携帯電話機１がホルダー５０と接続していることを検知しない（あるいは、接続していないことを検知する）と、通信が遮断されるため、携帯電話機１の受話部２および送話部３を用いての音声通信を行えないようになる。ただし、この通信が遮断された状態で、設置検知部４１が、携帯電話機１がホルダー５０と接続していることを検知すると、通信の遮断が解除され、ハンズフリーキット６０を用いて音声通信が行えるようになる。
【００３５】
無線通信部５は、無線処理部８、送受信分岐部９、アンテナ１０を有している。無線通信部５は、アンテナ１０を介してネットワーク（通信網）Ｎに接続しており、外部との通信を行う。この通信は、電話機能に関するデータの通信であってもよいし、文字データ、画像データ、制御信号等の通信であってもよい。なお、ネットワークＮは、例えば公衆電話回線、携帯電話回線、ＰＨＳ回線、インターネットなどで構成されており、携帯電話機１と他の携帯電話機との間等の通信を実現するものである。
【００３６】
無線処理部８は、外部からアンテナ１０を介して受信した無線信号を復調し、制御部４に出力する。または、無線処理部８は、送信するデータを無線送信に適した形式に変調し、変調された無線信号を、アンテナ１０を介して外部に送信する。
【００３７】
送受信分岐部９は、送信する信号と受信する信号とを分岐させるためのものである。
【００３８】
アンテナ１０は、携帯電話機能に関する電波を送受信するためのアンテナである。
【００３９】
イヤホンジャック６は、マイク付イヤホン２０（ハンズフリー通話装置）の端子を差し込むための差込口である。
【００４０】
近距離無線通信部７は、無線ハンズフリーキット３０（ハンズフリー通話装置）と接続し、電波の送受信を行う。本実施形態では、Bluetooth（登録商法）の通信規格に準拠した近距離無線通信を行うものとする。
【００４１】
イヤホンジャック６、あるいは、近距離無線通信部７を有することにより、携帯電話機１は、ハンズフリー通話を行うためのハンズフリーキット（ハンズフリー通話装置）と接続可能となっている。
【００４２】
接続端子８は、ホルダ−５０の接続端子（設置接続端子）５１と接続する端子である。設置検知部は、接続端子８が、ホルダー５−の接続端子５０と接続していることを検出することで、携帯電話機１とホルダー５０とが接続していることを、検知する。
【００４３】
携帯電話機１は、上記した以外にも、電話機としての基本的機能を有するものとする。また、写真撮影機能付きやテレビ受信機能付きであってもよい。
【００４４】
次に、ハンズフリーキット６０について説明する。ハンズフリーキット６０は、携帯電話機１を手に持たない状態での通話、いわゆるハンズフリー通話を可能とする装置である。本実施形態では、ハンズフリーキット６０には、携帯電話機１と有線接続するマイク付イヤホン２０と、無線接続する無線ハンズフリーキット３０とがある。なお、有線接続する場合、イヤホンだけでもかまわない。また、イヤホンとマイクが別々でもかまわない。
【００４５】
本実施形態で、携帯電話機１とハンズフリーキット６０と接続しているとは、マイク付イヤホン２０と無線ハンズフリーキット３０との少なくともどちらかと接続していることを指すものとする。
【００４６】
マイク付イヤホン２０は、その名の通り、マイクの付いたイヤホンであり、イヤホンジャック６に接続することにより、受話部２１で通信相手の音声を受信し、送話部２２からユーザの音声を通話相手に送信することができる。
【００４７】
無線ハンズフリーキット３０は、携帯電話機１との間でBluetoothの通信規格に準拠した近距離無線通信を行う。無線ハンズフリーキット３０は、近距離無線通信部３１により、携帯電話機１との間の近距離通信を行い、受話部３２で通信相手の音声を受信し、送話部３３からユーザの音声を通話相手に送信することができる。
【００４８】
ここで、無線ハンズフリーキット３０と携帯電話機１との接続についての一例を説明する。初めに、ユーザにより、携帯電話機１と無線ハンズフリーキット３０との両方が無線電波発信状態(Bluetooth ON状態)にされる。次に、ユーザにより、無線ハンズフリーキット３０の、他機器（ここでは携帯電話機１）との接続の際に必要なパスワードが設定される。
【００４９】
そして、携帯電話機１で周辺の無線（Bluetooth）機器を検索する。なお、全てのBluetooth機器には個別の名称が付いている。携帯電話機１は、探知したBluetooth機器である無線ハンズフリーキット３０に対し接続要求信号を送る。この接続要求信号を受けた無線ハンズフリーキット３０は、携帯電話機１にパスワード要求信号を送る。そして、携帯電話機１は、ユーザが入力したパスワードを、無線ハンズフリーキット３０に送信する。無線ハンズフリーキット３０は、受信したパスワードが正しいか否かを判別する。正しいことが判別できれば接続確立となる。このように携帯電話機１と無線ハンズフリーキット３０との接続か確立されたとき、無線ハンズフリーキット３０が携帯電話機１に、無線ハンズフリーキット３０との接続が確立されたという信号を送る。それを携帯電話機１が受信することで、接続検知部４２は、接続状態を検知する。
【００５０】
なお、ハンズフリーキット６０に、通話を開始するための「通話開始」キー、通話を終了するための「通話終了」キー、通話を保留するための「保留」キー等の操作キーが設けられていてもよい。
【００５１】
次に、ホルダー５０について説明する。ホルダー５０は、携帯電話機１を固定する装置である。ホルダー５０は、接続端子（設置接続端子）５１を有しており、接続端子５１は、携帯電話機１の接続端子１１と接続する。
【００５２】
図２は、携帯電話機１、マイク付イヤホン２０、無線ハンズフリーキット２０、ホルダー５０の外観を示す斜視図である。図２では、携帯電話機１は、ホルダー５０に設置されていない状態である。携帯電話機１の接続端子８とホルダー５０の接続端子５１とが接続された場合をホルダー設置状態と称する。
【００５３】
また、イヤホンジャック６にマイク付イヤホン２０とが接続した状態、または、近距離無線通信部７と無線ハンズフリーキット３０の近距離無線通信部３１とが通信可能である状態（接続した状態）を、ハンズフリーキット接続状態と称する。
【００５４】
携帯電話機１は、ハンズフリーキット６０と接続していなければ、受話部２および送話部３より受話および送話を行う。
【００５５】
次に、携帯電話機１の通信処理について、図３のフローチャートを参照に説明する。
【００５６】
ステップ１（以降、Ｓ１のように称する）において、接続検知部４２は、携帯電話機１とハンズフリーキット６０が接続されているか否かを検知する。ここで、ハンズフリーキットがマイク付イヤホン２０である場合、マイク付イヤホン２０の端子がイヤホンジャック６に接続しているか否かで判断する。すなわち、イヤホンジャック６に接続されていれば、携帯電話機１とハンズフリーキットが接続していることを検知する。ハンズフリーキット６０が無線ハンズフリーキット３０である場合、携帯電話機１の近距離無線通信部７と、無線ハンズフリーキット３０の近距離無線通信部３１とが通信可能であれば、携帯電話機１とハンズフリーキット６０が接続していることを検知する。接続検知部４２が、携帯電話機１がハンズフリーキット６０に接続していることを検知すると（Ｓ１においてＹＥＳ）、Ｓ３に進む。
【００５７】
Ｓ３では、音声切替部４４は、ハンズフリーキット６０を介して通信を可能にする。Ｓ１で、接続検知部４２が、携帯電話機１がハンズフリーキット６０に接続していることを検知しない（または、接続していないと検知する）と（Ｓ１においてＮＯ）、Ｓ２に進む。
【００５８】
Ｓ２では、設置検知部４１は、接続端子１１がホルダー５０の接続端子５１と接続しているか否かを検知する。設置検知部４１が、接続端子１１がホルダー５０の接続端子５１と接続していることを検知すると（Ｓ２においてＹＥＳ）、Ｓ４に進む。Ｓ４では、通信制御部４３は、通信を遮断し、通信を不可能にする。Ｓ２で、設置検知部４１が、接続端子１１がホルダー５０の接続端子５１と接続していることを検知しない（または、接続していないことを検知する）と（Ｓ２においてＮＯ）、Ｓ５に進む。
【００５９】
Ｓ５では、音声切替部４４は、携帯電話機１内部の受話部２および送話部３を介して通信を行う。
【００６０】
ここで、Ｓ１での検知とＳ２での検知とでは、どちらが先に行われても、あるいは、同時に行われてもかまわない。どのような順で検知が行われても、ハンズフリーキット６０と接続し、かつ、ホルダー５０の接続端子５１に接続していない、と検知すれば、通信制御部４３は、通信を遮断するようになっている。
【００６１】
なお、携帯電話機１への外部からの電波の受信は、携帯電話機１に自動着信機能があれば、ユーザの手を介することなくなされるものとする。あるいは、ハンズフリーキット６０に、例えば、操作キーが設けられ、これによって、外部からの電波の受信を受けるようになっていてもよい。
【００６２】
また、Ｓ４で通信不可能となっている状態において、ユーザがハンズフリーキット６０との接続を行い、接続検知部４２が、携帯電話機１とハンズフリーキット６０との接続を検知すると、ハンズフリーキット６０からの通話が可能にすることができる。
【００６３】
以上のように、携帯電話機１は、ホルダー５０に設置されていて、ハンズフリーキット６０との接続がなされていないと、外部との通信を遮断する。そのため、ホルダー５０が車両内に設置されていると、携帯電話機１のユーザが車両を運転中にであっても、携帯電話機１とハンズフリーキット６０との接続がなされていないと、携帯電話機１が外部からの受信することはない。そのため、携帯電話機１のユーザは、運転に集中することができ、安全運転につとめることができる。
【００６４】
このように、携帯電話機１は、ユーザが運転中手に持つことを防ぐことができる。そのため、ユーザは、携帯電話機１を用いて、車両の運転に差し障りなく、安全運転に配慮して通話することができる。
【００６５】
また、上記したように、携帯電話機１の接続端子８とホルダー５０の接続端子５１とが接続していると、設置検知部４１は、携帯電話機１がホルダー５０に設置されていると検知する。よって、例えば、接続端子５１が、設置場所を特定できるような場合、あるいは、場所によって接続端子５１が異なる場合、ある場所の接続端子５１と接続したときのみ、ハンズフリーキット６０が接続されていないと通信を遮断することができる。つまり、例えば、室内で使用する充電用のホルダーに設置されているときは、ハンズフリーキットが接続していなくても通信を遮断せず、車両内のホルダー５０に設置されているときは、ハンズフリーキット６０が接続していないと通信を遮断する、というように使用することができる。
【００６６】
このように、本実施の形態の携帯電話機１は、場所によって、ハンズフリーキット６０が接続していないときに通信を遮断したい場合等に、ユーザに好都合に使用することができる。
【００６７】
また、携帯電話機１では、設置検知部４１は、接続端子１１を介して直流電流を供給されると、携帯電話機１がホルダー５０に設置されていることを検知してもよい。
【００６８】
ここで、車両に設置されるホルダー５０がＤＣ（直流）充電器を兼ねると、屋内で使用される充電器はＡＣ（交流）充電器であるため、携帯電話機１は、供給される電流が直流であると、設置されているホルダー５０が、車両内のものであることを認識することができる。このような構成によると、屋内のＡＣ充電器に設置されているときは、ハンズフリー通話装置が接続していなくても通信を遮断せず、車両内のＤＣ充電器（ホルダー）に設置されているときは、ハンズフリー通話装置が接続していないと通信を遮断する、というように使用することができる。このようになっていると、携帯電話機１は、車両内において、ハンズフリーキット６０が接続していないときに通信を遮断することができる。
【００６９】
なお、携帯電話機１の各ブロックは、ハードウェアロジックによって構成してもよいし、次のようにＣＰＵを用いてソフトウェアによって実現してもよい。
【００７０】
すなわち、携帯電話機１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体、図示せず）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【００７１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７２】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エクストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７４】
携帯電話機に限定されず、例えば、ＰＨＳにも利用することができる。
【産業上の利用可能性】
【００７５】
本発明の携帯電話機は、ハンズフリー通話が可能な携帯電話機に利用することができ、特に、手に把持するのを防ぐ必要がある携帯電話機に利用することができる。
【図面の簡単な説明】
【００７６】
【図１】本発明の実施形態の携帯電話機とホルダーとの要部構成を示すブロック図である。
【図２】上記携帯電話機とホルダーとの外観図である。
【図３】上記携帯電話機の外部との通信時における動作を示すフローチャートである。
【図４】従来の携帯電話機の外観図である。
【符号の説明】
【００７７】
１    携帯電話機
４    制御部
５    無線通信部
６    イヤホンジャック
７    近距離無線通信部
８    接続端子
２０  マイク付イヤホン（ハンズフリー通話装置）
３０  無線ハンズフリーキット（ハンズフリー通話装置）
４１  設置検知部（設置検知手段）
４２  接続検知部（接続検知手段）
４３  通信制御部（通信制御手段）
４４  音声取得部
５０  ホルダー（電話機設置装置）
５１  接続端子（設置接続端子）
６０  ハンズフリーキット（ハンズフリー通話装置）
Ｎ    ネットワーク
【図１】
2006174290.tif 000003
【図２】
2006174290.tif 000004
【図３】
2006174290.tif 000005
【図４】
2006174290.tif 000006